(57)【要約】【課題】情報取得の確実性を高めることができる無線タグ回路素子、無線タグ情報読み取り装置、タグラベル作成装置を提供する。【解決手段】情報記憶機能を備えたＩＣ回路部１５０と、このＩＣ回路部１５０に接続されるループアンテナ１５１とを有する無線タグ回路素子Ｔoであって、ＩＣ回路部１５０のメモリ部１５５は、保護対象となる非圧縮の本体情報Ｄと、この本体情報Ｄと実質同一の内容をバックアップするために、当該本体情報Ｄとは異なる態様となるように圧縮処理されたバックアップデータＤ′とを記憶保持する。【選択図】  図３
2007213115.tif 000002
【特許請求の範囲】
【請求項１】
情報記憶機能を備えたＩＣ回路部と、
このＩＣ回路部に接続されるタグ側アンテナとを有する無線タグ回路素子であって、
前記ＩＣ回路部は、
保護対象となる所定の第１情報と、
この第１情報と実質同一の内容をバックアップするために、当該第１情報とは異なる態様で処理された第２情報と
を記憶保持することを特徴とする無線タグ回路素子。
【請求項２】
請求項１記載の無線タグ回路素子において、
前記ＩＣ回路部は、
前記第１情報及び第２情報のうち一方はデータ圧縮処理されて記憶しており、他方はデータ圧縮処理されずに記憶していることを特徴とする無線タグ回路素子。
【請求項３】
請求項１又は２記載の無線タグ回路素子において、
前記ＩＣ回路部は、
前記第１情報及び前記第２情報を、互いに所定量だけ離れたメモリ領域に記憶していることを特徴とする無線タグ回路素子。
【請求項４】
請求項１乃至３のいずれか１項記載の無線タグ回路素子において、
前記ＩＣ回路部は、
前記第２情報として、それぞれが単独で前記第１情報と実質同一の内容となりそれぞれが前記第１情報のバックアップ機能を果たす複数の情報を、互いに所定量だけ離れた異なるメモリ領域に記憶していることを特徴とする無線タグ回路素子。
【請求項５】
請求項１乃至３のいずれか１項記載の無線タグ回路素子において、
前記ＩＣ回路部は、
前記第２情報として、前記第１情報と実質同一の内容を複数に分割して形成され、全体として合成されて前記第１情報のバックアップ機能を果たす複数の情報要素を、互いに異なるメモリ領域に記憶していることを特徴とする無線タグ回路素子。
【請求項６】
請求項４又は５記載の無線タグ回路素子において、
前記ＩＣ回路部は、
前記第２情報として、前記複数の情報又は前記複数の情報要素を互いに異なる態様で記憶していることを特徴とする無線タグ回路素子。
【請求項７】
請求項１乃至６のいずれか１項記載の無線タグ回路素子において、
前記ＩＣ回路部は、メモリ領域に、
前記第２情報の前記処理の態様に関する情報を記憶保持する処理態様記憶ブロックを備えることを特徴とする無線タグ回路素子。
【請求項８】
請求項１乃至７のいずれか１項記載の無線タグ回路素子において、
前記第１情報及び第２情報は、各々の情報が読み出された際にそれぞれの情報の正当性が個別に確認可能な誤り検出符号部を備えていることを特徴とする無線タグ回路素子。
【請求項９】
保護対象となる所定の第１情報と、この第１情報と実質同一の内容をバックアップするために、当該第１情報とは異なる態様で処理された第２情報と記憶したＩＣ回路部、及び、このＩＣ回路部に接続されたタグ側アンテナを有する無線タグ回路素子との間で、無線通信により情報の送受信を行う装置側アンテナと、
前記無線タグ回路素子の前記ＩＣ回路部から前記第１情報を取得するための問いかけ信号を生成し、前記装置側アンテナを介して前記無線タグ回路素子へ送信する情報アクセス手段と、
この情報アクセス手段からの前記問いかけ信号に対する前記無線タグ回路素子の応答結果に基づき、前記第１情報又は前記第２情報を取得する情報取得手段とを有することを特徴とする無線タグ情報読み取り装置。
【請求項１０】
請求項９記載の無線タグ情報読み取り装置において、
前記情報取得手段は、
前記問いかけ信号に対する前記応答結果に基づき、まず前記第１情報の取得を試み、当該第１情報を取得できなかった場合に、前記第２情報の取得を行う
ことを特徴とする無線タグ情報読み取り装置。
【請求項１１】
請求項９記載の無線タグ情報読み取り装置において、
前記情報取得手段が前記問いかけ信号に対する前記応答結果に基づき取得した前記第１情報と前記第２情報との照合を行う照合手段を備える
ことを特徴とする無線タグ情報読み取り装置。
【請求項１２】
情報を記憶するＩＣ回路部とこのＩＣ回路部に接続されたタグ側アンテナとを備えた無線タグ回路素子を備えたタグ媒体を搬送する搬送手段と、
前記無線タグ回路素子との間で無線通信により情報の送受信を行うための送受信手段と
を有し、
前記無線タグ回路素子へ前記情報送受信が行われた前記タグ媒体を用いて無線タグラベルを作成するタグラベル作成装置であって、
保護対象となる所定の第１情報と、
この第１情報と実質同一の内容をバックアップするために、当該第１情報とは異なる態様で処理された第２情報とを、前記送受信手段を介し、当該無線タグラベルに備えられた前記無線タグ回路素子の前記ＩＣ回路部に書き込む書き込み制御手段を有することを特徴とするタグラベル作成装置。
【請求項１３】
請求項１２記載のタグラベル作成装置において、
前記第２情報を、前記第１情報とは異なる態様で処理するための情報処理手段を備えることを特徴とするタグラベル作成装置。
【請求項１４】
請求項１３記載のタグラベル作成装置において、
前記情報処理手段は、
前記第１情報及び第２情報のうちいずれか一方をデータ圧縮処理する圧縮処理手段であることを特徴とするタグラベル作成装置。
【発明の詳細な説明】
【技術分野】
【０００１】
本発明は、外部と情報の無線通信が可能な無線タグ回路素子、この無線タグ回路素子と信号送受を行う無線タグ情報読み取り装置、及び無線タグ回路素子を備えた無線タグラベルを作成するタグラベル作成装置に関するものである。
【背景技術】
【０００２】
小型の無線タグと、リーダ（読み取り装置）／ライタ（書き込み装置）との間で非接触で情報の読み取り／書き込みを行うＲＦＩＤ（Radio
Frequency Identification）システムが知られている。無線タグラベルに備えられた無線タグ回路素子は、所定の無線タグ情報を記憶するＩＣ回路部とこのＩＣ回路部に接続されて情報の送受信を行うアンテナとを備えており、無線タグラベルが汚れている場合や見えない位置に配置されている場合であっても、リーダ／ライタ側よりＩＣ回路部の無線タグ情報に対してアクセス（情報の読み取り／書き込み）が可能であり、商品管理や検査工程等の様々な分野において実用が期待されている。
【０００３】
このように種々の分野において活用されつつある無線タグであるが、無線タグ回路素子のＩＣ回路部のメモリ領域には、例えば氏名・生年月日などの個人情報や対象物品の名称・製造年月日等、その用途に応じて種々の情報が記憶される。このメモリ領域は、通常、所定の記憶容量（例えば数Ｋバイト）ごとのメモリ領域に区画化されて管理され、書き込まれる情報はそれら区画化されたブロック単位で記憶される。このようなメモリ領域（クラスタ）ごとに区画化されて管理されるメモリの従来技術としては、例えば特許文献１に記載のものがある。
【０００４】
【特許文献１】特開平６−９５９７９号公報
【発明の開示】
【発明が解決しようとする課題】
【０００５】
無線タグ回路素子のＩＣ回路部に書き込まれる情報には、読み取り不能になると利便性が低下する重要な情報が含まれる。しかしながら、例えば静電気等の外乱により無線タグ回路素子のＩＣ回路部のメモリ領域の一部が損傷したりデータが化ける懼れがあり、そのような場合には上記重要情報が読み取れなくなる懼れがあった。
【０００６】
そこで、同一メモリ中に上記重要情報と同一の情報をバックアップすることが考えられるが、単に同一情報を同一態様でバックアップするのみでは、上記したようなメモリ損傷の際に両方の情報が読み取れなくなる懼れがあり、情報取得の確実性の観点において十分とは言えなかった。また、メモリ領域を余分に必要とするので経済的とは言い難かった。
【０００７】
本発明の目的は、情報取得の確実性を高めることができる無線タグ回路素子、無線タグ情報読み取り装置、タグラベル作成装置を提供することにある。
【課題を解決するための手段】
【０００８】
上記目的を達成するために、第１の発明は、情報記憶機能を備えたＩＣ回路部と、このＩＣ回路部に接続されるタグ側アンテナとを有する無線タグ回路素子であって、前記ＩＣ回路部は、保護対象となる所定の第１情報と、この第１情報と実質同一の内容をバックアップするために、当該第１情報とは異なる態様で処理された第２情報とを記憶保持することを特徴とする。
【０００９】
本願第１発明においては、ＩＣ回路部に所定の第１情報を記憶する一方、これを保護しバックアップすることを目的に、この第１情報と実質同一の内容を異なる態様で処理した第２情報を併せてＩＣ回路部に記憶保持させる。
【００１０】
これにより、保護対象の第１情報と同一の態様で実質同一内容の第２情報をバックアップする場合に比べると、第２情報が異なる態様で処理されていることから、無線タグ情報読み取り装置による読み取り時にいずれか一方の情報が取得できなかったとしても残りの情報は取得できる可能性が高くなり、データ再現性を向上することができる。あるいは、第１情報及び第２情報の両方が取得できた場合には、それら２つの情報を互いに照合することで、データ真正度を高めることができる。以上のようにして、本願第１発明においては、実質同一内容の２つの情報を利用し、情報取得の確実性を高めることができる。
【００１１】
第２の発明は、上記第１発明において、前記ＩＣ回路部は、前記第１情報及び第２情報のうち一方はデータ圧縮処理されて記憶しており、他方はデータ圧縮処理されずに記憶していることを特徴とする。
【００１２】
第１又は第２情報の一方を圧縮処理、他方を非圧縮とすることにより、無線タグ情報読み取り装置による読み取り時に一方が何らかの理由で損傷し取得できなかった場合でも、他方は損傷を免れて安全に保たれ取得できる可能性が高くなり、データ再現性を向上することができる。また、一方を圧縮処理することによって全体のデータ容量が小さくなるため、ＩＣ回路部の記憶領域を節約でき、かつ読み取り処理を高速化することができる。
【００１３】
第３の発明は、上記第１又は第２発明において、前記ＩＣ回路部は、前記第１情報及び前記第２情報を、互いに所定量だけ離れたメモリ領域に記憶していることを特徴とする。
【００１４】
第１及び第２情報の記憶領域を互いに離すことにより、無線タグ情報読み取り装置による読み取り時に一方が何らかの理由で損傷し取得できなかった場合でも、他方は損傷を免れて安全に保たれ取得できる可能性が高くなり、データ再現性を向上することができる。
【００１５】
第４の発明は、上記第１乃至第３発明のいずれかにおいて、前記ＩＣ回路部は、前記第２情報として、それぞれが単独で前記第１情報と実質同一の内容となりそれぞれが前記第１情報のバックアップ機能を果たす複数の情報を、互いに所定量だけ離れた異なるメモリ領域に記憶していることを特徴とする。
【００１６】
バックアップを複数の情報で行うことにより、無線タグ情報読み取り装置による読み取り時に複数の情報のうち一つが何らかの理由で損傷し取得できなかった場合でも、残りは損傷を免れて安全に保たれ取得できる可能性が高くなり、さらにデータ再現性を向上することができる。
【００１７】
第５の発明は、上記第１乃至第３発明のいずれかにおいて、前記ＩＣ回路部は、前記第２情報として、前記第１情報と実質同一の内容を複数に分割して形成され、全体として合成されて前記第１情報のバックアップ機能を果たす複数の情報要素を、互いに異なるメモリ領域に記憶していることを特徴とする。
【００１８】
バックアップ時に１つの情報を複数の情報要素に分割してバックアップすることにより、無線タグ情報読み取り装置による読み取り時に一部の情報要素が何らかの理由で損傷し取得できなかった場合でも、残りの情報要素は損傷を免れて安全に保たれる可能性が高くなり、データ再現率の低下を最小限にとどめ再現性を向上することができる。また分割された情報要素ごとに処理態様を変えることも可能となり、この場合にはバリエーションに富んだ保存方法が可能となる。
【００１９】
第６の発明は、上記第４又は第５発明において、前記ＩＣ回路部は、前記第２情報として、前記複数の情報又は前記複数の情報要素を互いに異なる態様で記憶していることを特徴とする。
【００２０】
バックアップを複数の情報又は分割した複数の情報要素で行うとともに、それらを互いに異なる態様で記憶させることにより、無線タグ情報読み取り装置による読み取り時に複数の情報（又は情報要素）のうち一つが何らかの理由で損傷し取得できなかった場合でも、残りは損傷を免れて安全に保たれ取得できる可能性が高くなり、さらに確実にデータ再現性を向上することができる。
【００２１】
第７の発明は、上記第１乃至第６発明のいずれかにおいて、前記ＩＣ回路部は、メモリ領域に、前記第２情報の前記処理の態様に関する情報を記憶保持する処理態様記憶ブロックを備えることを特徴とする。
【００２２】
これにより、無線タグ情報読み取り装置による読み取り時に、まず処理態様記憶ブロックの第２情報の処理態様に関する情報を取得した後に、当該処理態様に対応した取得態様で、円滑に第２情報の取得を行うことができる。
【００２３】
第８の発明は、上記第１乃至第７発明のいずれかにおいて、前記第１情報及び第２情報は、各々の情報が読み出された際にそれぞれの情報の正当性が個別に確認可能な誤り検出符号部を備えていることを特徴とする。
【００２４】
これにより、無線タグ情報読み取り装置による読み取り時に、第１情報及び第２情報の検出符号部を確認することにより、それぞれの情報の正当性を個別に確認することができる。その結果、正当である場合にのみ情報の取得を行うことが可能となり、データ真正度をさらに高めることができる。
【００２５】
上記目的を達成するために、第９の発明は、保護対象となる所定の第１情報と、この第１情報と実質同一の内容をバックアップするために、当該第１情報とは異なる態様で処理された第２情報と記憶したＩＣ回路部、及び、このＩＣ回路部に接続されたタグ側アンテナを有する無線タグ回路素子との間で、無線通信により情報の送受信を行う装置側アンテナと、前記無線タグ回路素子の前記ＩＣ回路部から前記第１情報を取得するための問いかけ信号を生成し、前記装置側アンテナを介して前記無線タグ回路素子へ送信する情報アクセス手段と、この情報アクセス手段からの前記問いかけ信号に対する前記無線タグ回路素子の応答結果に基づき、前記第１情報又は前記第２情報を取得する情報取得手段とを有することを特徴とする。
【００２６】
本願第９発明においては、無線タグ回路素子のＩＣ回路部に所定の第１情報が記憶される一方、これを保護しバックアップすることを目的に、この第１情報と実質同一の内容を異なる態様で処理した第２情報が併せてＩＣ回路部に記憶保持されている。そして、情報アクセス手段で第１情報を取得するための問いかけ信号が生成されて装置側アンテナを介し無線タグ回路素子へ送信され、これに対する応答結果に基づき、情報取得手段で第１情報又は第２情報が取得される。
【００２７】
この際、第２情報が第１情報とは異なる態様で処理されて記憶されていることから、第１情報と同一の態様で第２情報がバックアップされている場合に比べ、いずれか一方の情報が取得できなくても残りの情報は取得できる可能性が高くなり、データ再現性を向上することができる。あるいは、第１情報及び第２情報の両方が取得できた場合には、それら２つの情報を互いに照合することで、データ真正度を高めることができる。以上のようにして、本願第９発明においては、実質同一内容の２つの情報を利用し、情報取得の確実性を高めることができる。
【００２８】
第１０の発明は、上記第９発明において、前記情報取得手段は、前記問いかけ信号に対する前記応答結果に基づき、まず前記第１情報の取得を試み、当該第１情報を取得できなかった場合に、前記第２情報の取得を行うことを特徴とする。
【００２９】
情報アクセス手段で第１情報を取得するための問いかけ信号が生成されて装置側アンテナを介し無線タグ回路素子へ送信される。そして、これに対する応答結果に基づきまず情報取得手段で第１情報の取得が試みられる。そして、第１情報が取得できなかった場合には、第２情報が取得される。この際、第２情報が第１情報とは異なる態様で処理されて記憶されていることから、第１情報が取得できなくても第２情報は取得できる可能性が高くなり、データ再現性を向上することができる。
【００３０】
第１１の発明は、上記第９発明において、前記情報取得手段が前記問いかけ信号に対する前記応答結果に基づき取得した前記第１情報と前記第２情報との照合を行う照合手段を備えることを特徴とする。
【００３１】
情報アクセス手段で第１情報を取得するための問いかけ信号が生成されて装置側アンテナを介し無線タグ回路素子へ送信される。そして、これに対する応答結果に基づき情報取得手段で第１及び第２情報が取得され、それら２つの情報を互いに照合することで、データ真正度を高めることができる。
【００３２】
上記目的を達成するために、第１２の発明は、情報を記憶するＩＣ回路部とこのＩＣ回路部に接続されたタグ側アンテナとを備えた無線タグ回路素子を備えたタグ媒体を搬送する搬送手段と、前記無線タグ回路素子との間で無線通信により情報の送受信を行うための送受信手段とを有し、前記無線タグ回路素子へ前記情報送受信が行われた前記タグ媒体を用いて無線タグラベルを作成するタグラベル作成装置であって、保護対象となる所定の第１情報と、この第１情報と実質同一の内容をバックアップするために、当該第１情報とは異なる態様で処理された第２情報とを、前記送受信手段を介し、当該無線タグラベルに備えられた前記無線タグ回路素子の前記ＩＣ回路部に書き込む書き込み制御手段を有することを特徴とする。
【００３３】
本願第１２発明においては、搬送手段で搬送されるタグ媒体に備えられた無線タグ回路素子に対し、送受信手段を介して無線通信により情報送受信が行われ、無線タグラベルが作成される。この情報送受信時に、書き込み制御手段が、ＩＣ回路部に所定の第１情報を記憶させる一方、これを保護しバックアップすることを目的に、この第１情報と実質同一の内容を異なる態様で処理した第２情報を併せてＩＣ回路部に記憶保持させる。
【００３４】
これにより、保護対象の第１情報と同一の態様で実質同一内容の第２情報をバックアップする場合に比べると、第２情報が異なる態様で処理されていることから、無線タグ情報読み取り装置による読み取り時にいずれか一方の情報が取得できなかったとしても残りの情報は取得できる可能性が高くなり、データ再現性を向上することができる。あるいは、第１情報及び第２情報の両方が取得できた場合には、それら２つの情報を互いに照合することで、データ真正度を高めることができる。以上のようにして、本願第１２発明においては、実質同一内容の２つの情報を利用し、情報取得の確実性を高めることができる。さらに、第１情報と第２情報の態様を異ならせて書き込むことで、作成装置側で同じ書き込み処理が行われなくなる（例えば圧縮によるデータ長の短縮やビット列の変化）ため、情報書き込みの失敗を抑制することができる。これによっても、情報取得の確実性を高めることができる。
【００３５】
第１３の発明は、上記第１２発明において、前記第２情報を、前記第１情報とは異なる態様で処理するための情報処理手段を備えることを特徴とする。
【００３６】
情報処理手段で第１情報と第２情報との処理態様を異ならせることで、無線タグ情報読み取り装置による読み取り時にいずれか一方の情報が取得できなかったとしても残りの情報は取得できる可能性が高くなり、データ再現性を向上することができる。
【００３７】
第１４の発明は、上記第１３発明において、前記情報処理手段は、前記第１情報及び第２情報のうちいずれか一方をデータ圧縮処理する圧縮処理手段であることを特徴とする。
【００３８】
情報処理手段である圧縮処理手段で第１情報と第２情報のいずれかを圧縮処理し一方を非圧縮とすることで、無線タグ情報読み取り装置による読み取り時にいずれか一方の情報が取得できなかったとしても残りの情報は取得できる可能性が高くなり、データ再現性を向上することができる。また、一方をデータ圧縮処理することによって全体のデータ容量が小さくなるため、ＩＣ回路部の記憶領域を節約でき、かつ読み取り処理を高速化することができる。
【発明の効果】
【００３９】
本発明によれば、情報取得の確実性を高めることができる。
【発明を実施するための最良の形態】
【００４０】
以下、本発明の一実施の形態を図面を参照しつつ説明する。
図１は、本実施形態の無線タグ回路素子Ｔoを有する無線タグラベルＴの全体概略構造の一例を表す図であり、図１（ａ）は無線タグラベルＴの上面図、図１（ｂ）は下面図である。これら図１（ａ）及び図１（ｂ）において、無線タグラベルＴは、例えば略シート形状の基材２と、この基材２に配置された、情報を記憶するＩＣ回路部１５０とこのＩＣ回路部１５０に接続されるループコイル形状に構成されたループアンテナ１５１とをそれぞれ備えた無線タグ回路素子Ｔoを備えている。
【００４１】
図１（ａ）に示すように、無線タグラベルＴの基材２の表側（上面）には、対応する印字情報（この例では「ＲＦ−ＩＤ」）を表記した領域Ｓを備えている。なお、これら領域Ｓは、文字でなく図形や符号、あるいは単なる色塗りや模様等であってもよい。
【００４２】
図２は、上記無線タグラベルＴに備えられた上記無線タグ回路素子Ｔoの機能的構成の一例を表すブロック図である。
【００４３】
図２において、無線タグ回路素子Ｔoは、リーダ２００（後述の図４参照）のループアンテナ２１０（後述の図４参照）と磁気誘導（電磁誘導、磁気結合、その他電磁界を介して行われる非接触方式を含む）により信号の送受信を行う上記ループアンテナ１５１(タグ側アンテナ)と、このループアンテナ１５１に接続された上記ＩＣ回路部１５０とを有している。
【００４４】
ＩＣ回路部１５０は、ループアンテナ１５１により受信された搬送波を整流する整流部１５２と、この整流部１５２により整流された搬送波のエネルギを蓄積しＩＣ回路部１５０の駆動電源とするための電源部１５３と、上記ループアンテナ１５１により受信された搬送波からクロック信号を抽出して制御部（後述）１５７に供給するクロック抽出部１５４と、所定の情報信号を記憶し得る情報記憶部として機能するメモリ部１５５と、上記ループアンテナ１５１に接続された変復調部１５６と、上記整流部１５２、クロック抽出部１５４、及び変復調部１５６等を介して上記無線タグ回路素子Ｔoの作動を制御するための制御部１５７とを備えている。
【００４５】
変復調部１５６は、ループアンテナ１５１により受信された上記リーダ２００（無線タグ情報読み取り装置）のループアンテナ２１０（装置側アンテナ）からの通信信号の復調を行うと共に、上記制御部１５７からの返信信号に基づき、上記ループアンテナ２１０より受信された搬送波を変調反射する。
【００４６】
制御部１５７は、上記変復調部１５６により復調された受信信号を解釈し、上記メモリ部１５５の所定の領域に受信データを書き込み記憶したり、所定の領域に記憶された情報信号に基づいて返信信号を生成し、上記変復調部１５６により返信する制御等の基本的な制御を実行する。
【００４７】
メモリ部１５５は、不揮発性メモリにより構成されており、制御部１５７と周知のアドレス線、データ線、制御線により接続されており、制御部１５７の動作により所定番地のメモリ領域に受信データが書き込まれたり、または記憶データが読み出されたりするものである。
【００４８】
図３（ａ）〜図３（ｃ）は、上記無線タグラベルＴに備えられた上記無線タグ回路素子Ｔoの上記メモリ部１５５に記憶されたデータ内容を概念的に表す図である。
【００４９】
ここで、本実施形態の無線タグ回路素子Ｔoの特徴は、上記メモリ部１５５に書き込まれる情報（以下、本体情報）がバックアップされて書き込まれていることにある。本実施形態では、バックアップ方式として、本体情報とは別に当該本体情報を圧縮したものをメモリ部１５５のメモリ領域の複数個所にそれぞれ記憶させておく複数バックアップ方式と、本体情報とは別に当該本体情報を分割して各分割情報を圧縮したものをメモリ部１５５のメモリ領域の複数個所にそれぞれ記憶させておく分割バックアップ方式とがある。
【００５０】
図３（ａ）は、上記バックアップが行われていない無線タグ回路素子Ｔoのメモリ部１５５のデータ内容の一例を表す図である。図に示すように、メモリ部１５５のメモリ領域の例えば最初のメモリブロック番地である０番地にバックアップ対象である本体情報Ｄが、またメモリ領域の例えば最後のメモリブロック番地であるＥ番地（処理態様記憶ブロック）にバックアップ処理の態様に関する情報Ｄｂ（この例ではバックアップを行っていない単純書き込み方式である旨の情報）が記憶保持されている。なお、ここでの番地とは、メモリ部１５５のメモリ領域を所定の記憶容量（例えば数Ｋバイト）ごとのメモリ領域（メモリブロック）に区画した場合における当該メモリブロックの場所を示すものであり、本実施形態では、上記したように０番地にバックアップ対象である本体情報Ｄが、Ｅ番地にバックアップ処理の態様に関する情報Ｄｂ（バックアップを行っているか否か、バックアップを行っている場合には複数バックアップ方式か分割バックアップ方式か、バックアップデータが記憶されている番地、圧縮形態等）が記憶保持されるようになっている。
【００５１】
図３（ｂ）は、上記複数バックアップ方式の無線タグ回路素子Ｔoのメモリ部１５５のデータ内容の一例を表す図である。図に示すように、メモリ部１５５のメモリ領域の０番地にバックアップ対象である本体情報Ｄ（第１情報）が、ｎ番地及び２ｎ番地に上記本体情報Ｄを圧縮したバックアップデータＤ′（第２情報）が、またＥ番地にバックアップ処理の態様に関する情報Ｄｂ（この例では、２つのバックアップデータＤ′を有する複数バックアップ方式である旨の情報、バックアップデータＤ′が記憶されている番地のオフセット情報ｎ、及び圧縮形態に関する情報）が記憶保持されている。なお、本実施形態では、圧縮方式として公知の可逆圧縮であるラン・レングス圧縮（Run Length
Encoding）を用いている。
【００５２】
図３（ｃ）は、上記分割バックアップ方式の無線タグ回路素子Ｔoのメモリ部１５５のデータ内容の一例を表す図である。図に示すように、メモリ部１５５のメモリ領域の０番地にバックアップ対象である本体情報Ｄが、ｍ番地及び２ｍ番地に上記本体情報Ｄを圧縮して分割したバックアップデータｄ１′及びｄ２′（第２情報）が、またＥ番地にバックアップ処理の態様に関する情報Ｄｂ（この例では、２分割の分割バックアップ方式である旨の情報、バックアップデータｄ１′,ｄ２′が記憶されている番地のオフセット情報ｍ、及び圧縮形態に関する情報）が記憶保持されている。
【００５３】
なお、上記本体情報Ｄとしては、例えば書き換え不能なタグ識別情報であるユニークＩＤ（ＵＩＤ）等が好適であるが、その他の情報、すなわち氏名・生年月日などの個人情報、対象物品の名称・製造年月日などの物品情報等、タグからの読み取りが不能となると利便性が低下する種々の情報をバックアップ対象としてもよい。また、上記したように、本実施形態では圧縮方式として公知のラン・レングス圧縮を用いているが、他の圧縮形態、例えばＺＩＰ圧縮やＬＺＨ圧縮、ＬＺ７７圧縮等を用いてもよい。
【００５４】
図４は、リーダ２００の詳細機能を表す機能ブロック図である。この図４において、リーダ２００は、無線タグ回路素子Ｔoの上記ループアンテナ１５１との間で無線通信により信号の授受を行うループアンテナ２１０と、このループアンテナ２１０を介して無線タグ回路素子Ｔoにアクセスする(この場合は読取りを行う)ための搬送波を発生させるとともに、後述する制御回路２０２から入力される制御信号に基づいて上記搬送波を変調する上記送信回路２０５と、無線タグ回路素子Ｔoから上記ループアンテナ２１０を介して受信された応答信号の復調を行い、後述の制御回路２０２に出力する受信回路２０６と、上記送信回路２０５における搬送波の変調制御及び上記受信回路２０６で復調した信号の処理を行う制御回路２０２と、操作者が操作可能な適宜のボタン、キー等を備えた操作部２０３と、所定の表示を行う表示部２０４とを有する。
【００５５】
図５は、上記送信回路２０５、受信回路２０６とループアンテナ２１０との接続部分の回路構成を簡略的に表す回路図である。
【００５６】
この図５において、送信回路２０５はループアンテナ２１０に接続され、また受信回路２０６は装置側ループアンテナ２１０と直列に接続されたコンデンサ２０７に接続されている。
【００５７】
図６は、この制御回路２０２の詳細機能を表す機能ブロック図である。
【００５８】
図６において、制御回路２０２は、いわゆるマイクロコンピュータであり、中央演算処理装置であるＣＰＵ２０２Ａ、ＲＯＭ２０２Ｂ、ＲＡＭ２０２Ｃ、送受信回路２０５,２０６との信号送受を行う回路制御部２０２Ｄ等から構成され、ＲＡＭ２０２Ｃの一時記憶機能を利用しつつＲＯＭ２０２Ｂに予め記憶されたプログラムに従って信号処理を行うようになっている。
【００５９】
図７は、上記制御回路２０２の実行する制御手順を表すフローチャートである。
【００６０】
まずステップＳ１０５において、送信回路２０５に制御信号を出力し、無線タグ回路素子Ｔoのメモリ部１５５に記憶された情報を読み取るための探索信号（例えばScroll All ID信号）としての所定の変調を行った搬送波をループアンテナ２１０を介して書き込み対象の無線タグ回路素子Ｔoに送信し、返信を促す。
【００６１】
その後、ステップＳ１１０に移り、上記探索信号に対応し無線タグ回路素子Ｔoから送信（返信）されたリプライ信号がループアンテナ２１０を介し受信され、受信回路２０６を介し制御回路２０２へ取り込まれたかどうかを判定する。リプライ信号が受信されていなければ判定が満たされず、ステップＳ１１５に移ってエラー処理（上記表示部２０４にエラー表示を行う等）を行い、フローを終了する。一方、リプライ信号が受信されている場合には、判定が満たされて次のステップＳ１２０へ移る。なお、このとき受信されたリプライ信号に基づく無線タグ回路素子Ｔoのメモリ部１５５から読み取った情報については、適宜のメモリ（例えばＲＡＭ２０２Ｃや図示しない受信バッファ等）に一時的に記憶される。
【００６２】
ステップＳ１２０では、上記ステップＳ１１０で適宜のメモリに記憶された無線タグ回路素子Ｔoから読み取った情報中に、本体情報Ｄがあるか否かを判定する。本体情報Ｄを読み取れた場合には、判定が満たされて、フローを終了する。一方、何らかの理由により本体情報Ｄが読み取れなかった場合には、判定が満たされずに次のステップＳ１２５に移る。
【００６３】
ステップＳ１２５では、上記ステップＳ１１０で適宜のメモリに記憶された無線タグ回路素子Ｔoから読み取った情報より、上記バックアップ処理の態様に関する情報Ｄｂを取得する。そして、次のステップＳ１３０に移る。
【００６４】
ステップＳ１３０では、上記ステップＳ１２５で取得したバックアップ処理の態様に関する情報Ｄｂに基づき、読み取り対象である無線タグ回路素子Ｔoのバックアップ方式がいずれの方式であるかを判断する。
【００６５】
上記判断の結果、単純書き込み方式（前述の図３（ａ）参照）である場合には、バックアップを行わないことから本体情報Ｄの読み取りに失敗したとみなし、次のステップＳ１３５に移り、エラー表示信号を上記表示部２０４へ出力して対応するエラー表示を行わせる。そして、フローを終了する。
【００６６】
一方、上記ステップＳ１３０の判断の結果、複数バックアップ方式である場合には、次のステップＳ１４０に移り、先のステップＳ１２５で取得したバックアップ処理の態様に関する情報Ｄｂ中の番地のオフセット情報に基づいて当該番地に格納されたバックアップデータ（この時点では圧縮されている）を取得する。すなわち、ｎ番地又は２ｎ番地に格納されたバックアップデータＤ′を取得する（前述の図３（ｂ）参照）。なおこのとき、ｎ番地及び２ｎ番地の両データを取得するようにしてもよいし、ｎ番地のデータを取得できなかった場合にのみ２ｎ番地のデータを取得するようにしてもよい。そして、次のステップＳ１４５に移る。
【００６７】
ステップＳ１４５では、先のステップＳ１２５で取得したバックアップ処理の態様に関する情報Ｄｂ中の圧縮形態情報に基づき、上記ステップＳ１４０で取得したバックアップデータＤ′を解凍する。本実施形態ではラン・レングス圧縮を用いているので、当該圧縮形態に応じた解凍処理を行う。これにより、バックアップされた本体情報Ｄを取得すると、本フローを終了する。
【００６８】
一方、上記ステップＳ１３０の判断の結果、分割バックアップ方式である場合には、次のステップＳ１５０に移り、先のステップＳ１２５で取得したバックアップ処理の態様に関する情報Ｄｂ中の番地のオフセット情報に基づいて当該番地に格納されたバックアップデータ（この時点では分割・圧縮されている）を取得する。すなわち、ｍ番地及び２ｍ番地に格納されたバックアップデータｄ１′,ｄ２′を取得する（前述の図３（ｃ）参照）。そして、次のステップＳ１５５に移る。
【００６９】
ステップＳ１５５では、上記ステップＳ１５０で取得したバックアップデータｄ１′,ｄ２′の合成処理を行う。これにより、本体情報ＤのバックアップデータＤ′（この時点では圧縮されている）が生成される。そして、次のステップＳ１４５に移り、先のステップＳ１２５で取得したバックアップ処理の態様に関する情報Ｄｂ中の圧縮形態情報に基づき、上記ステップＳ１５５で生成されたバックアップデータＤ′を解凍する。本実施形態ではラン・レングス圧縮を用いているので、当該圧縮形態に応じた解凍処理を行う。これにより、バックアップされた本体情報Ｄを取得すると、本フローを終了する。
【００７０】
図８は、上記無線タグ回路素子ＴoのＩＣ回路部１５０に配置された制御部１５７が実行する制御手順を表すフローチャートである。図８において、まずステップＳ２１０において、リーダ２００のループアンテナ２１０から送信された信号がループアンテナ１５１により受信されたかどうかを判定する。受信されていれば判定が満たされ、ステップＳ２２０に移る。
【００７１】
ステップＳ２２０では、ステップＳ２１０にて受信が確認された信号が探索信号であるかどうかを判定する。判定が満たされなかった場合はステップＳ２１０に戻って同様の手順を繰り返し、判定が満たされた場合はステップＳ２３０に移る。
【００７２】
ステップＳ２３０では、ＩＣ回路部１５０のメモリ部１５５の記憶情報、すなわち、本体情報Ｄ、バックアップデータＤ′等、及びバックアップ処理の態様に関する情報Ｄｂ等（前述の図３参照）を変復調部１５６によりループアンテナ１５１を介してリーダ２００のループアンテナ２１０に送信し、このフローを終了する。
【００７３】
上記のように構成される無線タグラベルＴであるが、これら無線タグラベルＴを製造するラベル作成装置３００（タグラベル作成装置）としては、例えば図９に示す装置が用いられる。
【００７４】
図９において、このタグラベル作成装置３００は、所定間隔で無線タグ回路素子Ｔoが備えられたタグテープ３０３（タグ媒体）を巻回したタグテープロール３０４を着脱可能な（又はタグテープロール３０４を備えたカートリッジを着脱可能な）タグテープロールホルダ部３１０と、このタグテープロール３０４から繰り出されたタグテープ３０３のうち上記無線タグ回路素子Ｔoに対応した上記領域Ｓに所定の印字を行う印字ヘッド３０５と、無線タグ回路素子Ｔoとの間で無線通信により情報の送受信を行うループコイル形状のループアンテナ３０６（送受信手段）と、このループアンテナ３０６を介して無線タグ回路素子Ｔoにアクセスする(ここでは書込みを行う)ための搬送波を発生させるとともに、後述する制御回路３０２から入力される制御信号に基づいて上記搬送波を変調する送信回路３０８と、無線タグ回路素子Ｔoから上記ループアンテナ３０６を介して受信された応答信号の復調を行い、後述の制御回路３０２に出力する受信回路３０１と、上記送信回路３０８における搬送波の変調制御及び上記受信回路３０１で復調した信号の処理を行う制御回路３０２と、タグテープ３０３への印字及び無線タグ回路素子Ｔoへの上記情報書き込みが終了したタグテープ３０３を所定の長さに切断して無線タグラベルＴとするカッタ３０７と、印字ヘッド３０５に対向して設けられ、制御回路３０２により制御されてタグテープロール３０４から繰り出されたタグテープ３０３を搬送する搬送装置３０９（搬送手段）とを有する。
【００７５】
送受信回路３０８，３０１及び制御回路３０２は、詳細な説明を省略するが、上記リーダ２００の送受信回路２０５，２０６及び制御回路２０２とほぼ同等の機能を備えるものであり、無線タグ回路素子ＴoのＩＣ回路部１５０へのアクセス情報を生成し、ループアンテナ３０６を介して無線タグ回路素子Ｔoへ送信し、無線タグ回路素子ＴoのＩＣ回路部１５０へ情報書き込みを行う。また制御回路３０２は有線又は無線の通信回線（ネットワーク）を介して他のコンピュータ、サーバ、端末等と接続されており、それらと情報の送受が可能となっている。
【００７６】
図１０は、無線タグラベルＴの作成時に上記制御回路３０２によって実行される制御手順を表すフローチャートである。
【００７７】
図１０において、まずステップＳ３０５において、（上記通信回線を介し制御回路３０２に接続された）操作端末等により別途入力された、バックアップ方式に関する情報（単純書込み、複数バックアップ、及び分割バックアップのうちいずれの方式であるか、バックアップデータの記憶番地、圧縮形態等）が上記通信回線を介し取得される。なお、上記操作端末等に代えて、タグラベル作成装置３００の図示しない操作部から入力するようにしてもよい。
【００７８】
次に、ステップＳ３１０において、（上記通信回線を介し制御回路３０２に接続された）操作端末等により別途入力された、印字ヘッド３０５で上記無線タグラベルＴの前述の領域Ｓに印字したい印字情報及び無線タグ回路素子Ｔoへの書き込み情報（本体情報Ｄ）が上記通信回線を介し取得される。なおこの場合も、上記操作端末等に代えて、タグラベル作成装置３００の図示しない操作部から入力するようにしてもよい。
【００７９】
その後、ステップＳ３１５において、搬送装置３０９を駆動する駆動回路（図示せず）に制御信号を出力し、搬送装置３０９を駆動させてタグテープ３０３の搬送を開始するとともに、印字ヘッド３０５を駆動する駆動回路（図示せず）に制御信号を出力して、上記ステップＳ３１０で入力した印字データに基づき当該無線タグラベルＴに対応する印字を領域Ｓに対して行う。
【００８０】
次のステップＳ３２０では、書込み対象である無線タグ回路素子Ｔoが書込み可能な所定位置となるまでタグテープ３０３が搬送されたかどうかを判定する。この判定は、例えば、タグテープ３０３（詳細には例えば剥離紙）に対し各無線タグ回路素子Ｔoに対応して設けた適宜の識別用マークを公知のテープセンサで検出することにより行えば足りる（あるいはこのマーク検出位置を基準とし、搬送装置３０９を駆動させるパルスモータ（図示せず）に出力したパルス数をカウントすることにより搬送距離を検出してもよい）。判定が満たされるまで当該ステップＳ３２０を繰り返し、判定が満たされると次のステップＳ３２５に移る。
【００８１】
ステップＳ３２５では、搬送装置３０９を駆動する駆動回路（図示せず）に制御信号を出力し、搬送装置３０９を停止させてタグテープ３０３の搬送を停止するとともに、印字ヘッド３０５を駆動する駆動回路（図示せず）に制御信号を出力して印字を停止する。
【００８２】
次のステップＳ３３０では、上記ステップＳ３０５で入力したバックアップ方式に関する情報に基づき、バックアップ方式を判断する。判断した結果、単純書き込み方式である場合には、ステップＳ４００に移り、バックアップを行わずに本体情報Ｄの書き込みを行う場合のデータを作成する単純書込みデータ作成処理を行う（詳細は後述の図１１参照）。そして、次のステップＳ３４０に移る。
【００８３】
一方、上記ステップＳ３３０で複数バックアップ方式と判断した場合には、ステップＳ５００に移り、本体情報Ｄとは別に当該本体情報Ｄを圧縮したバックアップデータＤ′をメモリ領域の複数個所にそれぞれ書き込む場合のデータを作成する複数バックアップデータ作成処理を行う（詳細は後述の図１２参照）。そして、次のステップＳ３４０に移る。
【００８４】
他方、上記ステップＳ３３０で分割バックアップ方式と判断した場合には、ステップＳ６００に移り、本体情報Ｄとは別に当該本体情報Ｄを圧縮して分割したバックアップデータｄ１′,ｄ２′をメモリ領域の複数個所にそれぞれ書きこむ場合のデータを作成する分割バックアップデータ作成処理を行う（詳細は後述の図１３参照）。そして、次のステップＳ３４０に移る。
【００８５】
ステップＳ３４０では、送信回路３０８に制御信号を出力し、無線タグ回路素子Ｔoに対し所定の情報を書き込むための信号（例えばProgram信号）としての所定の変調を行った搬送波をループアンテナ３０６を介して書き込み対象の無線タグ回路素子Ｔoに送信する。これにより、無線タグ回路素子Ｔoのメモリ部１５５に対し対応するデータ（上記ステップＳ４００、ステップＳ５００、またはステップＳ６００で作成し送信バッファに記憶させたデータ）の書き込みを行う。
【００８６】
次のステップＳ３５０では、先のステップＳ３１５と同様に、搬送装置３０９を駆動する駆動回路（図示せず）に制御信号を出力し、搬送装置３０９を駆動させてタグテープ３０３の搬送を再開するとともに、印字ヘッド３０５を駆動する駆動回路（図示せず）に制御信号を出力して印字を再開する。
【００８７】
次のステップＳ３５５では、タグテープ３０３のうちこの時点で処理対象としている無線タグ回路素子Ｔoに対応する領域Ｓへの印字がすべて完了しているかどうかを確認する。判定が満たされるまで当該ステップＳ３５５を繰り返し、判定が満たされると次のステップＳ３６０に移る。
【００８８】
ステップＳ３６０では、タグテープ３０３がカッタ３０７で切断されるべき所定位置にまで搬送されたかどうかを判定する。具体的には、例えば、対象とする無線タグ回路素子Ｔo及びこれに対応する印字領域Ｓのすべてがカッタ３０７を所定の長さ(余白量)分だけ越えたかどうかを判定する。この判定は、先のステップＳ３２０と同様に、例えばタグテープ３０３（詳細には例えば剥離紙）に対し各無線タグ回路素子Ｔoに対応して設けた適宜の識別用マークを公知のテープセンサで検出することにより行えば足りる（あるいはこのマーク検出位置を基準とし、搬送装置３０９を駆動させるパルスモータ（図示せず）に出力したパルス数をカウントすることにより搬送距離を検出してもよい）。判定が満たされるまで当該ステップＳ３６０を繰り返し、判定が満たされると次のステップＳ３６５に移る。
【００８９】
ステップＳ３６５では、カッタ３０７によりテープを切断し、このフローを終了する。これにより、いずれかのバックアップ処理がなされた（バックアップされていない単純書込みも含む）無線タグ回路素子Ｔoを備えた無線タグラベルＴが生成され、装置３００外へと排出される。
【００９０】
図１１は、上記ステップＳ４００の詳細手順を表すフローチャートである。
【００９１】
この図１１において、まずステップＳ４１０では、前述のステップＳ３１０で取得した無線タグ回路素子Ｔoへの書き込み情報（本体情報Ｄ）を、適宜のメモリ（例えばＲＡＭ２０２Ｃや図示しない送信バッファ等。以下、送信バッファとする）に読み込む。なお、この本体情報Ｄは、無線タグ回路素子Ｔoのメモリ部１５５における０番地に対応する送信バッファ上のメモリ領域に読み込まれる。
【００９２】
次のステップＳ４２０では、前述のステップＳ３０５で取得したバックアップ方式に関する情報に基づき、バックアップ処理の態様に関する情報Ｄｂを作成して送信バッファに付加する。なお、このバックアップ処理の態様に関する情報Ｄｂは、無線タグ回路素子Ｔoのメモリ部１５５におけるＥ番地に対応する送信バッファ上のメモリ領域に読み込まれる。そして、本フローを終了する。
【００９３】
以上により、無線タグ回路素子Ｔoに書き込まれた際に、当該タグのメモリ部１５５が前述の図３（ａ）に示すデータ記憶内容となるような単純書き込みデータが作成される。
【００９４】
図１２は、上記ステップＳ５００の詳細手順を表すフローチャートである。
【００９５】
この図１２において、まずステップＳ５１０では、上記ステップＳ４１０と同様に、前述のステップＳ３１０で取得した無線タグ回路素子Ｔoへの書き込み情報（本体情報Ｄ）を送信バッファに読み込む。なお、この本体情報Ｄは、無線タグ回路素子Ｔoのメモリ部１５５における０番地に対応する送信バッファ上のメモリ領域に読み込まれる。
【００９６】
次のステップＳ５２０では、前述のステップＳ３０５で取得したバックアップ方式に関する情報中の圧縮形態情報に基づき、本体情報Ｄを圧縮処理し、バックアップデータＤ′を作成する。なお本実施形態では、前述したようにラン・レングス圧縮を行う。
【００９７】
次のステップＳ５３０では、上記ステップＳ５２０で作成したバックアップデータＤ′を送信バッファに付加する。なお、このバックアップデータＤ′は、前述のステップＳ３０５で取得したバックアップ方式に関する情報中の番地情報に基づき、無線タグ回路素子Ｔoのメモリ部１５５におけるｎ番地に対応する送信バッファ上のメモリ領域に読み込まれる。
【００９８】
次のステップＳ５４０では、前述のステップＳ３０５で取得したバックアップ方式に関する情報中のバックアップ数情報に基づき、それら所定の数のバックアップデータＤ′が全て送信バッファに付加されたか否かを判定する。すなわち、本実施形態では前述したように２つのバックアップデータＤ′を書き込むので、１つ目のバックアップデータＤ′を送信バッファに付加した時点では本判定は満たされず、上記ステップＳ５３０に戻る。そして、このステップＳ５３０で、２つ目のバックアップデータＤ′を無線タグ回路素子Ｔoのメモリ部１５５における２ｎ番地に対応する送信バッファ上のメモリ領域に読み込む。これにより、２つのバックアップデータの送信バッファへの付加が終了するので、判定が満たされて次のステップＳ５５０に移る。
【００９９】
次のステップＳ５５０では、前述のステップＳ３０５で取得したバックアップ方式に関する情報に基づき、バックアップ処理の態様に関する情報Ｄｂを作成して送信バッファに付加する。なお、このバックアップ処理の態様に関する情報Ｄｂは、無線タグ回路素子Ｔoのメモリ部１５５におけるＥ番地に対応する送信バッファ上のメモリ領域に読み込まれる。そして、本フローを終了する。
【０１００】
以上により、無線タグ回路素子Ｔoに書き込まれた際に、当該タグのメモリ部１５５が前述の図３（ｂ）に示すデータ記憶内容となるような複数バックアップデータが作成される。
【０１０１】
図１３は、上記ステップＳ６００の詳細手順を表すフローチャートである。
【０１０２】
この図１３において、まずステップＳ６１０では、上記ステップＳ４１０と同様に、前述のステップＳ３１０で取得した無線タグ回路素子Ｔoへの書き込み情報（本体情報Ｄ）を送信バッファに読み込む。なお、この本体情報Ｄは、無線タグ回路素子Ｔoのメモリ部１５５における０番地に対応する送信バッファ上のメモリ領域に読み込まれる。
【０１０３】
次のステップＳ６２０では、前述のステップＳ３０５で取得したバックアップ方式に関する情報中の圧縮形態情報に基づき、本体情報Ｄを圧縮処理する。本実施形態では、前述したようにラン・レングス圧縮を行う。
【０１０４】
次のステップＳ６３０では、前述のステップＳ３０５で取得したバックアップ方式に関する情報中の分割数情報に基づき、上記ステップＳ６２０で圧縮した本体情報Ｄ′を分割処理し、バックアップデータｄ１′,ｄ２′を作成する。本実施形態では、前述したように２つに分割する。
【０１０５】
次のステップＳ６４０では、上記ステップＳ６３０で作成したバックアップデータのうち、１つ目のデータｄ１′を送信バッファに付加する。なお、このバックアップデータｄ１′は、前述のステップＳ３０５で取得したバックアップ方式に関する情報中の番地情報に基づき、無線タグ回路素子Ｔoのメモリ部１５５におけるｍ番地に対応する送信バッファ上のメモリ領域に読み込まれる。
【０１０６】
次のステップＳ６５０では、前述のステップＳ３０５で取得したバックアップ方式に関する情報中の分割数情報に基づき、それら所定の数の分割されたバックアップデータが全て送信バッファに付加されたか否かを判定する。すなわち、本実施形態では前述したように２つに分割したバックアップデータｄ１′,ｄ２′を書き込むので、１つ目のバックアップデータｄ１′を送信バッファに付加した時点では本判定は満たされず、上記ステップＳ６４０に戻る。そして、このステップＳ６４０で２つ目のバックアップデータｄ２′を無線タグ回路素子Ｔoのメモリ部１５５における２ｍ番地に対応する送信バッファ上のメモリ領域に読み込む。これにより、２つに分割したバックアップデータｄ１′,ｄ２′の送信バッファへの付加が終了するので、判定が満たされて次のステップＳ６６０に移る。
【０１０７】
次のステップＳ６６０では、前述のステップＳ３０５で取得したバックアップ方式に関する情報に基づき、バックアップ処理の態様に関する情報Ｄｂを作成して送信バッファに付加する。なお、このバックアップ処理の態様に関する情報Ｄｂは、無線タグ回路素子Ｔoのメモリ部１５５におけるＥ番地に対応する送信バッファ上のメモリ領域に読み込まれる。そして、本フローを終了する。
【０１０８】
以上により、無線タグ回路素子Ｔoに書き込まれた際に、当該タグのメモリ部１５５が前述の図３（ｃ）に示すデータ記憶内容となるような分割バックアップデータが作成される。
【０１０９】
上記において、制御回路２０２（詳細には図７中ステップＳ１０５の手順）は、請求項７記載の問いかけ信号を生成し装置側アンテナを介して無線タグ回路素子へ送信する情報アクセス手段を構成するとともに、制御回路２０２（詳細には図７中ステップＳ１１０の手順）は、請求項７記載の情報アクセス手段からの問いかけ信号に対する無線タグ回路素子の応答結果に基づき、第１情報又は第２情報を取得する情報取得手段を構成する。
【０１１０】
また、制御回路３０２（詳細には図１０中ステップＳ３４０の手順）は、請求項１０記載の第１情報と第２情報とを送受信手段を介し無線タグラベルに備えられた無線タグ回路素子のＩＣ回路部に書き込む書き込み制御手段を構成する。また、制御回路３０２（詳細には図１２中ステップＳ５２０、図１３中ステップＳ６２０）は、請求項１２記載の第１情報及び第２情報のうちいずれか一方をデータ圧縮処理する圧縮処理手段を構成するとともに、これらと図１３中ステップＳ６３０の手順とが、請求項１１記載の第２情報を第１情報とは異なる態様で処理するための情報処理手段を構成する。
【０１１１】
以上のように構成した本実施形態においては、無線タグ回路素子ＴoのＩＣ回路部１５０のメモリ部１５５に本体情報Ｄを記憶する一方、当該本体情報Ｄを保護しバックアップすることを目的に、この本体情報Ｄと実質同一の内容を異なる態様で処理（本実施形態では圧縮・分割処理）したバックアップデータＤ′等を併せてメモリ部１５５に記憶保持させる。
【０１１２】
これにより、保護対象の本体情報Ｄと同一の態様で（すなわち圧縮処理等を行わずに）実質同一内容の本体情報Ｄをバックアップする場合に比べると、バックアップデータＤ′等が異なる態様で処理されていることから、リーダ２００による読み取り時に、例えば静電気等の外乱により無線タグ回路素子Ｔoのメモリ部１５５のメモリ領域の一部が損傷する等によりいずれか一方のデータが取得できなかったとしても残りのデータは取得できる可能性が高くなり、データ再現性を向上することができる。以上のようにして、本実施形態においては、実質同一内容の２つのデータを利用し、情報取得の確実性を高めることができる。
【０１１３】
さらに、本体情報ＤとバックアップデータＤ′等の態様を異ならせて書き込むことで、ラベル作成装置３００側で同じ書き込み処理が行われなくなる（例えば圧縮によるデータ長の短縮やビット列の変化）ため、書き込みの失敗を抑制することができる。これによっても、情報取得の確実性を高めることができる。
【０１１４】
また、本実施形態では特に、無線タグ回路素子Ｔoのメモリ部１５５に、バックアップ対象である本体情報Ｄについては圧縮処理せずに記憶させ、この本体情報ＤのバックアップデータＤ′（又はｄ１′,ｄ２′）については圧縮処理して記憶させる。このように一方のデータを圧縮処理、他方のデータを非圧縮とすることにより、リーダ２００による読み取り時に一方のデータが何らかの理由で損傷し取得できなかった場合でも、他方のデータは損傷を免れて安全に保たれ取得できる可能性が高くなり、データ再現性を向上することができる。また、一方を圧縮処理することによって全体のデータ容量が小さくなるため、メモリ部１５５の記憶領域を節約でき、かつ読み取り処理を高速化することができる。
【０１１５】
また、本実施形態では特に、複数バックアップ方式及び分割バックアップ方式のどちらにおいても、本体情報ＤとそのバックアップデータＤ′（又はｄ１′,ｄ２′）とを互いに所定量（ｎ番地またはｍ番地）だけ離れたメモリ領域に記憶する。このように互いに離して記憶させることにより、リーダ２００による読み取り時に一方のデータが何らかの理由で損傷し取得できなかった場合でも、他方のデータは損傷を免れて安全に保たれ取得できる可能性が高くなり、データ再現性を向上することができる。
【０１１６】
また、本実施形態では特に、複数バックアップ方式を採用する。この複数バックアップ方式においては、前述の図３（ｂ）に示すように、それぞれが単独で本体情報Ｄと実質同一の内容となりそれぞれが本体情報Ｄのバックアップ機能を果たす複数のバックアップデータＤ′が、互いに所定量だけ離れた異なるメモリ領域に記憶されている。このように、バックアップを複数のデータで行うことにより、リーダ２００による読み取り時に、例えば本体情報Ｄに加え複数のバックアップデータＤ′のうちの一部が何らかの理由で損傷し取得できなかったような場合でも、残りのバックアップデータＤ′は損傷を免れて安全に保たれ取得できることになる。したがって、さらにデータ再現性を向上することができる。
【０１１７】
また、本実施形態では特に、分割バックアップ方式を採用する。この分割バックアップ方式においては、前述の図３（ｃ）に示すように、本体情報Ｄと実質同一の内容を複数に分割して形成され、全体として合成されて上記本体情報Ｄのバックアップ機能を果たす複数のバックアップデータｄ１′,ｄ２′が、互いに異なるメモリ領域に記憶されている。このように、バックアップ時に１つのデータを複数のデータ要素に分割してバックアップすることにより、リーダ２００による読み取り時に一部のデータ要素が何らかの理由で損傷し取得できなかった場合でも、例えば残りの損傷を免れたデータ要素によりデータ全体を復元する等が可能となり、データ再現率の低下を最小限にとどめ再現性を向上することができる。また、分割されたデータ要素ごとに処理態様を変える（圧縮、非圧縮等）ことも可能となり、この場合にはバリエーションに富んだ保存方法が可能となる。
【０１１８】
また、本実施形態では特に、無線タグ回路素子Ｔoのメモリ部１５５のうち、所定のメモリ領域（Ｅ番地）にバックアップ処理の態様に関する情報Ｄｂを記憶保持する。これにより、リーダ２００による読み取り時に、まずＥ番地のバックアップ処理の態様に関する情報Ｄｂを取得することで、当該情報中のバックアップデータの番地情報を利用してバックアップデータＤ′（又はｄ１′,ｄ２′）の取得を行うことができる。その結果、円滑にバックアップデータの取得を行うことができる。
【０１１９】
なお、本発明は、上記実施形態に限られず、その趣旨と技術思想の範囲を逸脱しない範囲で更に種々の変形が可能である。以下その変形例を説明する。
【０１２０】
（１）本体情報とバックアップ情報とを照合する場合
上記実施形態においては、本体情報Ｄが読み取れなかった場合にバックアップデータＤ′等を参照することにより本体情報Ｄを取得し、本体情報Ｄが読み取れた場合にはバックアップデータＤ′等を参照しないようにしたが、これに限られない。すなわち、本体情報Ｄが読み取れた場合にもバックアップデータＤ′等を参照し、これらを照合して一致する場合にのみ無線タグ回路素子Ｔoの本体情報Ｄを取得するようにしてもよい。
【０１２１】
図１４は本変形例における制御回路２０２′（図示せず）の実行する制御手順を表すフローチャートであり、前述の図７に対応する図である。この図１４において図７と同様の手順には同符号を付している。
【０１２２】
図１４において、ステップＳ１０５〜ステップＳ１１０は前述の図７と同様であり、無線タグ回路素子Ｔoのメモリ部１５５に記憶された情報を読み取るための探索信号（例えばScroll All ID信号）をループアンテナ２１０を介して書き込み対象の無線タグ回路素子Ｔoに送信し、無線タグ回路素子Ｔoから送信（返信）されたリプライ信号がループアンテナ２１０を介し受信されたかどうかを判定する。リプライ信号が受信されていなければステップＳ１１５に移ってエラー処理を行い、リプライ信号が受信されている場合には次のステップＳ１２０′へ移る。
【０１２３】
ステップＳ１２０′では、上記ステップＳ１１０で無線タグ回路素子Ｔoから読み取った情報中に、本体情報Ｄがあるか否かを判定する。本変形例では、何らかの理由により本体情報Ｄを読み取れなかった場合にはステップＳ１１５に移り、エラー処理を行う。一方、本体情報Ｄが読み取れた場合には、判定が満たされて次のステップＳ１２３に移る。
【０１２４】
ステップＳ１２３では、上記ステップＳ１２０′で取得した本体情報Ｄを適宜のメモリ（例えばＲＡＭ２０２Ｃ等）に一時記憶させる。そして、次のステップＳ１２５に移る。
【０１２５】
ステップＳ１２５は前述の図７と同様であり、上記ステップＳ１１０で無線タグ回路素子Ｔoから読み取った情報より、前述した上記無線タグ回路素子Ｔoのメモリ部１５５のＥ番地に記憶されているバックアップ処理の態様に関する情報Ｄｂを取得する。そして、次のステップＳ１３０′に移る。
【０１２６】
ステップＳ１３０′では、上記ステップＳ１２５で取得したバックアップ処理の態様に関する情報Ｄｂに基づき、読み取り対象である無線タグ回路素子Ｔoのメモリ部１５５のバックアップ方式がいずれの方式であるかを判断する。なお、本変形例は本体情報ＤとバックアップデータＤ′等とを照合して本体情報Ｄを取得する例であるので、上記実施形態のように単純書き込み方式はなく、無線タグ回路素子Ｔoのメモリ部１５５には必ずバックアップデータが記憶されているものとする。したがって、ここでは複数バックアップ方式であるか分割バックアップ方式であるかを判断する。
【０１２７】
ステップＳ１４０〜ステップＳ１５５は前述の図７と同様であり、複数バックアップ方式である場合には、所定の番地に格納されたバックアップデータＤ′を取得して解凍処理を行う。一方、分割バックアップ方式である場合には、所定の番地に格納されたバックアップデータｄ１′,ｄ２′を取得して当該分割されたバックアップデータの合成処理を行い、さらに解凍処理を行う。なお、以上で解凍されたバックアップデータ（以下、Ｄ２とする）は、適宜のメモリ（例えばＲＡＭ２０２Ｃ等）に一時記憶される。そして、次のステップＳ１６０に移る。
【０１２８】
ステップＳ１６０では、上記ステップＳ１２３で一時記憶された本体情報Ｄと、上記ステップＳ１４５で解凍処理され一時記憶されたバックアップデータＤ２とを読出し、両者を照合する。そして、次のステップＳ１６５に移る。
【０１２９】
ステップＳ１６５では、上記ステップＳ１６０で照合した結果、本体情報ＤとバックアップデータＤ２とが一致するか否かを判定する。一致しない場合には、判定が満たされずにステップＳ１７０に移り、エラー処理（上記表示部２０４にエラー表示を行う等）を行う。一方、一致する場合には、判定が満たされてステップＳ１７５に移り、当該本体情報Ｄ（又はＤ２）を無線タグ回路素子Ｔoの真正の識別情報として取得する。そして、本フローを終了する。
【０１３０】
以上において、制御回路２０２′（詳細には図１４中ステップＳ１６０の手順）は、請求項９に記載の第１情報と第２情報との照合を行う照合手段を構成する。
【０１３１】
以上のような制御を行う本変形例によれば、本体情報Ｄ及びバックアップデータＤ′等の両方を取得し、それら２つの情報を互いに照合して一致する場合のみ本体情報Ｄを取得するので、データ真正度を高めることができる。したがって、本変形例によっても、情報取得の確実性を高めることができる。
【０１３２】
（２）異なる態様のバリエーション
上記実施形態においては、バックアップ対象である本体情報Ｄについては圧縮処理を行わず、バックアップデータＤ′（又はｄ１′,ｄ２′）については圧縮処理を行うことで、両者を異なる態様となるようにしたが、これに限られず、反対に本体情報Ｄを圧縮処理し、バックアップデータＤ′については圧縮処理を行わないようにしてもよい。また上記実施形態では、複数バックアップ方式及び分割バックアップ方式のどちらにおいても、バックアップデータＤ′（又はｄ１′,ｄ２′）については全て圧縮処理するようにしたが、これに限られず、例えば図１５（ａ）及び（ｂ）に示すように、複数のバックアップデータ又は複数の分割データのうち一部は圧縮処理を行い、残りは圧縮処理を行わないようにしてもよい。
【０１３３】
さらに、上記実施形態では、一方のデータを圧縮処理し、他方を非圧縮とすることにより態様を異ならせるようにしたが、これに限られず、他の処理を行うことで態様を異ならせてもよい。例えば、一方のデータを符号変換して「１の補数表現」（２の補数表現でもよい）で表したものを他方のデータとすることで、態様を異ならせてもよい。この場合にも、情報取得の確実性を高めることができるという上記実施形態と同様の効果を得る。
【０１３４】
（３）データが誤り検出符号部を有する場合
上記実施形態では特に設けなかったが、バックアップ対象である本体情報Ｄ及びそのバックアップデータＤ′（又はｄ１′,ｄ２′）が、各々の情報がリーダ２００により読み出された際にそれぞれの情報の正当性が個別に確認可能な誤り検出符号部を有するようにしてもよい。
【０１３５】
図１６は、本変形例における本体情報Ｄとそのバックアップデータのデータ概略構成の一例を概念的に表す図である。この図に示すように、所定のビットからなる本体情報Ｄとそのバックアップデータは、本体情報Ｄを圧縮処理されてそのビット数を減少させている。減少した余裕部に図１６（ａ）では誤り検出符号部としてのチェックサム（check sum）部ＤＳ１，ＤＳ２を配しており、また図１６（ｂ）では該余裕部に誤り検出符号部としてのＣＲＣ（Cyclic Redundancy Check）部ＤＣ１，ＤＣ２を配している。バックアップ態様に関する情報が記憶されているところの番地Ｅには該誤り検出符号の種類も記録されている。チェックサムやＣＲＣは周知の誤り検出符号で、バックアップデータから所定の演算により計算される。なお、この誤り検出符号部ＤＳ１，ＤＳ２，ＤＣ１，ＤＣ２は、例えば前述した単純書き込みデータ作成処理（図１１のステップＳ４００参照）、複数バックアップデータ作成処理（図１２のステップＳ５００参照）、又は分割バックアップデータ作成処理（図１３のステップＳ６００参照）において、例えば圧縮・分割等のデータ処理の後に求められて当該データに付加されるようになっている。なお、誤り検出符号は上記説明したチェックサムやＣＲＣ符号に限らず、パリティ符号を用いてもよい。さらにはＢＣＨ符号やＲＳ符号などの誤り訂正符号を用いた場合には誤りが発生した場合に訂正ができるのでより好適に本体情報の送受ができる。
【０１３６】
本変形例によれば、リーダ２００による読み取り時に、バックアップデータの誤り検出符号部を確認することにより、それぞれの情報の正当性を個別に確認することができる。その結果、各バックアップデータが正当であることを確認することが可能となり、データ真正度をさらに高めることができる。
【０１３７】
（４）その他
なお、以上においては、装置側のアンテナ２１０や無線タグ回路素子Ｔo側のアンテナ１５１としてループアンテナを用い、磁気誘導（電磁誘導、磁気結合、その他電磁界を介して行われる非接触方式を含む）により情報送受信を行ったが、これに限られず、たとえば上記２つのアンテナとしてダイポールアンテナやパッチアンテナ等を送受信手段として用い、電波通信により情報送受信を行うようにしてもよい。
【０１３８】
また、以上においては、タグテープ３０３の搬送を所定位置で停止させて無線タグ情報の書き込みを行う例を示したが、これに限られず、移動中のタグテープ３０３に対して無線タグ情報の書き込みを行うようにしてもよい。
【０１３９】
また、以上において、印字及び無線タグ回路素子Ｔoへのアクセス（書き込み）の終了したタグテープ３０３をカッタ３０７で切断してタグラベルＴを作成した場合を例にとって説明したが、これに限られない。すなわち、ラベルに対応した所定の大きさに予め分離されたラベル台紙（いわゆるダイカットラベル）がロールから繰り出されるテープ上に連続配置されているような場合には、カッタ３０７で切断しなくても、テープが排出口から排出されてきた後にラベル台紙（アクセス済みの無線タグ回路素子Ｔoが備えられかつ対応する印字がなされたもの）のみをテープから剥がしてタグラベルＴを作成しても良く、本発明はこのようなものに対しても適用できる。
【０１４０】
また、以上においては、無線タグ回路素子Ｔoを備えたタグテープ３０３に直接印字を行う方式（貼りあわせを行わないタイプ）に本発明を適用した例を示したが、これに限られず、タグテープ３０３とは別のカバーフィルムに印字を行ってこれらを貼り合わせる方式に本発明を適用してもよい。さらに、以上においては、無線タグ回路素子ＴoのＩＣ回路部１５０に対し無線タグ情報の書き込みを行うと共に、印字ヘッド３０５によってその無線タグ回路素子Ｔoを識別するための印刷を行うものにも限られない。この印刷は必ずしも行われなくともよく、無線タグ情報の書き込みのみを行うものに対し本発明を適用することもできる。
【０１４１】
さらに、以上は、タグテープがリール部材の周りに巻回されてロール３０４を構成し、ロールホルダ３１０内にそのロールが配置されてタグテープが繰り出される場合を例にとって説明したが、これに限られない。例えば、ロールがカートリッジ内に収納されてカートリッジ化されている場合や、無線タグ回路素子Ｔoが少なくとも一つ配置された長尺平紙状あるいは短冊状のテープやシート（ロールに巻回されたテープを繰り出した後に適宜の長さに切断して形成したものを含む）を、所定の収納部にスタックして（例えばトレイ状のものに平積み積層して）カートリッジ化し、これらのカートリッジをラベル作成装置側のカートリッジホルダに装着して、上記収納部から移送、搬送して印字及び書き込みを行いタグラベルを作成するようにしてもよい。
【０１４２】
なお、以上で用いた「Scroll All ID」信号、「Program」信号等は、ＥＰＣ  ｇｌｏｂａｌが策定した仕様に準拠しているものとする。ＥＰＣ  ｇｌｏｂａｌは、流通コードの国際機関である国際ＥＡＮ協会と、米国の流通コード機関であるＵｎｉｆｏｒｍｅｄ  Ｃｏｄｅ  Ｃｏｕｎｃｉｌ（ＵＣＣ）が共同で設立した非営利法人である。なお、他の規格に準拠した信号でも、同様の機能を果たすものであればよい。
【０１４３】
また、以上既に述べた以外にも、上記実施形態や各変形例による手法を適宜組み合わせて利用しても良い。
【０１４４】
その他、一々例示はしないが、本発明は、その趣旨を逸脱しない範囲内において、種々の変更が加えられて実施されるものである。
【図面の簡単な説明】
【０１４５】
【図１】本発明の無線タグ回路素子の一実施形態を有する無線タグラベルの全体概略構造の一例を表す上面図及び下面図である。
【図２】本発明の無線タグ回路素子の一実施形態の機能的構成の一例を表すブロック図である。
【図３】本発明の無線タグ回路素子の一実施形態において、単純書き込み方式、複数バックアップ方式、分割バックアップ方式のそれぞれの場合におけるメモリ部に記憶されたデータ内容を概念的に表す図である。
【図４】本発明の無線タグ情報読み取り装置の一実施形態であるリーダの詳細機能を表す機能ブロック図である。
【図５】送信回路、受信回路とループアンテナとの接続部分の回路構成を簡略的に表す回路図である。
【図６】本発明の無線タグ情報読み取り装置の一実施形態の制御回路の詳細機能を表す機能ブロック図である。
【図７】制御回路の実行する制御手順を表すフローチャートである。
【図８】無線タグ回路素子のＩＣ回路部に配置された制御部が実行する制御手順を表すフローチャートである。
【図９】本発明のタグラベル作成装置の一実施形態の全体構成を概略的に表す概略構成図である。
【図１０】本発明のタグラベル作成装置の一実施形態の制御回路によって実行される制御手順を表すフローチャートである。
【図１１】ステップＳ４００の詳細手順を表すフローチャートである。
【図１２】ステップＳ５００の詳細手順を表すフローチャートである。
【図１３】ステップＳ６００の詳細手順を表すフローチャートである。
【図１４】本体情報とバックアップ情報とを照合する場合の変形例における制御回路の実行する制御手順を表すフローチャートである。
【図１５】複数のバックアップデータ又は複数の分割データのうち一部は圧縮処理を行い残りは圧縮処理を行わない場合の変形例におけるメモリ部に記憶されたデータ内容を概念的に表す図である。
【図１６】データが誤り検出符号部を有する場合の変形例における本体情報（又はそのバックアップデータ）のデータ概略構成の一例を概念的に表す図である。
【符号の説明】
【０１４６】
１５０            ＩＣ回路部
１５１            ループアンテナ（タグ側アンテナ）
２００            リーダ（無線タグ情報読み取り装置）
２０２            制御回路（情報アクセス手段、情報取得手段）
２０２′          制御回路（照合手段）
２１０            ループアンテナ（装置側アンテナ）
２２２            誤り検出ビット（誤り検出符号部）
３００            ラベル作成装置（タグラベル作成装置）
３０２            制御回路（書き込み制御手段、情報処理手段、圧縮処理手段）
３０３            タグテープ（タグ媒体）
３０６            ループアンテナ（送受信手段）
３０９            搬送装置（搬送手段）
Ｄ                本体情報（第１情報）
Ｄ′              バックアップデータ（第２情報）
Ｄ″              バックアップデータ（第２情報）
ｄ１′，ｄ２′    バックアップデータ（第２情報）
ｄ２″            バックアップデータ（第２情報）
Ｄｂ              バックアップ処理の態様に関する情報（第２情報の処理の態様に関する情報）
Ｅ                番地（処理態様記憶ブロック）
Ｔ                無線タグラベル
Ｔo               無線タグ回路素子
【図１】
2007213115.tif 000003
【図２】
2007213115.tif 000004
【図３】
2007213115.tif 000005
【図４】
2007213115.tif 000006
【図５】
2007213115.tif 000007
【図６】
2007213115.tif 000008
【図７】
2007213115.tif 000009
【図８】
2007213115.tif 000010
【図９】
2007213115.tif 000011
【図１０】
2007213115.tif 000012
【図１１】
2007213115.tif 000013
【図１２】
2007213115.tif 000014
【図１３】
2007213115.tif 000015
【図１４】
2007213115.tif 000016
【図１５】
2007213115.tif 000017
【図１６】
2007213115.tif 000018